(57)【要約】【課題】  洗浄室の大型化を図りつつ、ガイド手段の構造をシンプルにした食器洗浄機を提供する。【解決手段】  この食器洗浄機１では、ドア７の外面にドア側ガイドレール面５６が一体的に形成され、このガイドレール面５６には支柱６側に設けられたガイドローラ５７が摺接する。同様に、支柱６の外面に支柱側ガイドレール面５５が一体的に形成され、このガイドレール面５５にはドア７側に設けられたガイドローラ５８が摺接する。このように、ドア７の外面をガイドレール面５６として活用し、支柱６の外面をもガイドレール面５５として活用する結果、洗浄機本体２側の支柱６とドア７との間でガイドローラ収容空間部Ｓが作り出され、支柱６にガイド手段Ｇを隣接させることができるので、ドア７内に設けられる洗浄室３の大型化とシンプルで且つ耐久性の高いガイド手段が実現した。【選択図】  図１０
2005034449.tif 000002
【特許請求の範囲】
【請求項１】
ガイド手段に沿ってドアを上下動させることにより、洗浄機本体側に設けられた洗浄室の開閉を行う食器洗浄機において、
前記ガイド手段は、
前記洗浄機本体の背面側の両コーナ部に設けられた左右一対の支柱と、
前記ドアの外面に一体的に形成されたドア側ガイドレール面と、
前記支柱に回動自在に取り付けられると共に、前記ドア側ガイドレール面に摺接する支柱側ガイドローラと、
前記支柱の外面に一体的に形成された支柱側ガイドレール面と、
前記ドアに回動自在に取り付けられると共に、前記支柱側ガイドレール面に摺接するドア側ガイドローラとを備えたことを特徴とする食器洗浄機。
【請求項２】
前記ドアの背面側の両コーナ部には、鉛直方向に延在する断面略Ｌ字状の切欠き部が設けられ、この切欠き部内には前記支柱の内側且つ前側のコーナ部が挿入されるようにして、前記ドアと前記支柱との間にガイドローラ収容空間部を形成し、このガイドローラ収容空間部内に前記支柱側ガイドローラ及び前記ドア側ガイドローラを配置したことを特徴とする請求項１記載の食器洗浄機。
【請求項３】
前記ドア側ガイドレール面は、
前記支柱側ガイドローラの転動面に当接する第１のガイドレール面と、
前記支柱側ガイドローラの円形前面に対面する第２のガイドレール面と、
前記第１のガイドレール面に対して平行に配置されると共に、前記支柱側ガイドローラの前記転動面に当接する第３のガイドレール面とからなることを特徴とする請求項１記載の食器洗浄機。
【発明の詳細な説明】
【技術分野】
【０００１】
本発明は、ドアを上下させることで、洗浄機本体側の洗浄室の開閉が行われるいわゆるドアタイプの食器洗浄機に関するものである。
【背景技術】
【０００２】
従来、このような分野の技術として、実開平２−１３４９６５号公報がある。この公報に開示された食器洗浄機は、ドアの前面に取り付けられたハンドルを手で握って上げ下げすることで、洗浄室を開閉できるタイプのものである。また、ドアのスムーズな開閉を可能にするため、ドア側と本体側とをガイド手段を介して連結し、ドア側に取り付けられた第１のガイドレールと本体側に取り付けられた第１のガイドローラとの協働で、ドアの奥行き方向のブレを防止し、本体側に取り付けられた第２のガイドレールとドア側に取り付けられた第２のガイドローラとの協働で、ドアの横幅方向のブレを防止している。なお、第１のガイドレールと第２のガイドレールは並設するように配置され、第１のガイドローラに対して第２のガイドローラは直交するように配置されている。
【特許文献１】実開平２−１３４９６５号公報
【特許文献２】特開２０００−２５４０８６号公報
【発明の開示】
【発明が解決しようとする課題】
【０００３】
しかしながら、ガイドレールとガイドローラとの協働によってドアの昇降をガイドするにあたって、第１及び第２のガイドローラと第１及び第２のガイドレールとを採用し、それぞれの部品のレイアウトを考慮すると、ガイド手段自体が大型化し、ガイド手段の占有スペースを大きくする必要が生じ、洗浄室を大型化し難いといった問題点がある。しかも、部品点数が多く、ガイド手段の構造が複雑化するといった問題点がある。
【０００４】
本発明は、特に、洗浄室の大型化を図りつつ、ガイド手段の構造をシンプルにした食器洗浄機を提供することを目的とする。
【課題を解決するための手段】
【０００５】
本発明に係る食器洗浄機は、ガイド手段に沿ってドアを上下動させることにより、洗浄機本体側に設けられた洗浄室の開閉を行う食器洗浄機において、ガイド手段は、洗浄機本体の背面側の両コーナ部に設けられた左右一対の支柱と、ドアの外面に一体的に形成されたドア側ガイドレール面と、支柱に回動自在に取り付けられると共に、ドア側ガイドレール面に摺接する支柱側ガイドローラと、支柱の外面に一体的に形成された支柱側ガイドレール面と、ドアに回動自在に取り付けられると共に、支柱側ガイドレール面に摺接するドア側ガイドローラとを備えたことを特徴とする。
【０００６】
この食器洗浄機では、ドアの外面にドア側ガイドレール面が一体的に形成され、このガイドレール面には支柱側に設けられたガイドローラが摺接する。同様に、支柱の外面に支柱側ガイドレール面が一体的に形成され、このガイドレール面にはドア側に設けられたガイドローラが摺接する。このように、ドアの外面をガイドレール面として活用し、支柱の外面をもガイドレール面として活用する結果、洗浄機本体側の支柱とドアとの間でガイドローラ収容空間部が作り出され、支柱にガイド手段を隣接させることができるので、ドア内に設けられる洗浄室の大型化とシンプルで且つ耐久性の高いガイド手段が実現した。
【０００７】
また、ドアの背面側の両コーナ部には、鉛直方向に延在する断面略Ｌ字状の切欠き部が設けられ、この切欠き部内には支柱の内側且つ前側のコーナ部が挿入されるようにして、ドアと支柱との間にガイドローラ収容空間部を形成し、このガイドローラ収容空間部内に支柱側ガイドローラ及びドア側ガイドローラを配置すると好適である。このように、ドアの背面側コーナ部に断面Ｌ字状の切欠き部を設けることで、支柱に対してドアのコーナ部を接近させることができ、ドアと支柱との間のガイドローラ収容空間部を必要最小限の大きさに維持しつつ、ドア内に設けられる洗浄室を大型化することができる。
【０００８】
また、ドア側ガイドレール面は、支柱側ガイドローラの転動面に当接する第１のガイドレール面と、支柱側ガイドローラの円形前面に対面する第２のガイドレール面と、第１のガイドレール面に対して平行に配置されると共に、支柱側ガイドローラの転動面に当接する第３のガイドレール面とからなると好適である。この第３のガイドレール面によって、ドアの適切な倒れを防止している。
【発明の効果】
【０００９】
本発明によれば、洗浄室の大型化を図りつつ、ガイド手段の構造をシンプルにできる。
【発明を実施するための最良の形態】
【００１０】
以下、図面を参照しつつ本発明に係る食器洗浄機の好適な実施形態について詳細に説明する。
【００１１】
図１及び図２に示すように、食器洗浄機１は、ステンレス製の洗浄機本体２を有している。この洗浄機本体２は、洗浄室３が形成された上側部分２ａと、機械室４が形成された下側部分２ｂとに仕切られており、洗浄機本体２の背面側の角部には、上側部分２ａと下側部分２ｂとに渡って一対の支柱６が延在している。また、洗浄機本体２の上側部分２ａには、洗浄室３の開閉を行うための箱型のドア７が設けられている。このドア７は、一対の支柱６により上下動自在に案内されており、前方において水平方向に延在するハンドル８により上下動させられて、洗浄室３の開閉が行われる。なお、洗浄機本体２の底面の四隅には脚部９が取り付けられており、食器洗浄機１の安定した設置が可能となっている。
【００１２】
上述した洗浄室３内には、ラックレール１１が着脱自在に配置されており、このラックレール１１上に、飲食後の食器類が並べられた格子状の食器ラック（図示せず）が載置される。更に、洗浄室３内の上部には、放射状に延びる３本のアームを有する上側洗浄ノズル１２と、一直線状に延びる２本のアームを有する上側濯ぎノズル１３とが同一軸線上において回転自在に配置されている。同様に、洗浄室３内の下部には、下側洗浄ノズル１４と下側濯ぎノズル１５とが同一軸線上において回転自在に配置されている。
【００１３】
このような構成を有する洗浄室３の底部には、機械室４内に突出するように洗浄水タンク１７が形成されており、洗浄室３と洗浄水タンク１７との間には、フィルタ１８が着脱自在に配置されている。この洗浄水タンク１７の前面には、洗浄水タンク１７内に吸込口及び吐出口が位置するように洗浄水供給ポンプ（以下「洗浄ポンプ」という）１９が直付けされており、部品点数の減少化と省スペース化とが達成されている。この洗浄ポンプ１９の吐出口には洗浄水流通管２１が接続され、この洗浄水流通管２１は、洗浄タンク１７内及び洗浄室３内を通って、上側洗浄ノズル１２と下側洗浄ノズル１４とに接続されている。
【００１４】
更に、機械室４内には、外部の給湯器（図示せず）から濯ぎ水が供給される濯ぎ水タンク２２が収容されており、この濯ぎ水タンク２２には、吸込管２３を介して濯ぎ水供給ポンプ（以下「濯ぎポンプ」という）２４が接続されている。この濯ぎポンプ２４は、インペラを下側にした状態で縦置きされており、機械室４内のスペースの有効利用が図られている。この濯ぎポンプ２４の吐出口には吐出管２６が接続され、この吐出管２６の端部２６ａは洗浄水タンク１７内に延在している。そして、吐出管２６の端部２６ａには濯ぎ水流通管２７が接続され、この濯ぎ水流通管２７は、洗浄タンク１７内及び洗浄室３内を通って、上側濯ぎノズル１３と下側濯ぎノズル１５とに接続されている。なお、機械室４内には、食器洗浄機１の動作全般を制御するマイクロコンピュータ等が内蔵された電装ボックス（図示せず）等も収容されている。
【００１５】
ここで、上述した食器洗浄機１の動作について説明する。運転開始ボタンがＯＮにされると洗浄ポンプ１９が始動する。これにより、洗浄水タンク１７内に貯留されていた洗浄水は、洗浄水流通管２１を通って上下の洗浄ノズル１２，１４に圧送され、各洗浄ノズル１２，１４から食器類に向けて噴射される。このとき、各洗浄ノズル１２，１４は洗浄水の噴射反力によって回転するため、洗浄水が食器類に満遍なく当てられて、食器類の汚れが効率良く洗い落とされる。この食器類に噴射された洗浄水は、食器類から洗い落とされた残菜等の汚損物がフィルタ１８により取り除かれつつ洗浄水タンク１７内に回収され、洗浄ポンプ１９により循環供給される。
【００１６】
このような食器類の洗浄が所定時間行われると、洗浄ポンプ１９が停止し、その後、濯ぎポンプ２４が始動する。これにより、濯ぎ水タンク２２内に貯留されていた濯ぎ水は、濯ぎ水流通管２７を通って上下の濯ぎノズル１３，１５に圧送され、各濯ぎノズル１３，１５から食器類に向けて噴射される。このとき、各濯ぎノズル１３，１５もまた、濯ぎ水の噴射反力によって回転するため、濯ぎ水が食器類に満遍なく当てられて、食器類の濯ぎが効率良く行われる。この食器類に噴射された濯ぎ水は、フィルタ１８を通って洗浄水タンク１７内に回収され、次回の食器類の洗浄において洗浄水として利用される。このような食器類の濯ぎが所定時間行われると、濯ぎポンプ２４が停止して、食器洗浄機１の１サイクルの動作が完了する。
【００１７】
図３及び図４に示すように、前述した食器洗浄機１は、上下動するステンレス製のドア７と、洗浄ノズル１２，１４、すすぎノズル１３，１５及びポンプ１９，２４などが収容される洗浄機本体２とから主として構成されている。また、この洗浄機本体２の背面側のコーナ部には、左右一対のステンレス製の支柱６，６が配置され、洗浄機本体２には、左右の支柱６，６を連結するようにステンレス製の背面パネル３２が溶接によって固定されている。この背面パネル３２は、ドア７との協働によって洗浄室３の形成に利用され、矩形パイプ状の支柱６によってしっかりと保持されている。
【００１８】
さらに、矩形パイプ状の支柱６内には、ドア７の開閉に利用するためのスプリング３３が、鉛直方向に延在するように装填されている。また、各スプリング３３，３３の上端は、ドア７の側面に沿って配置された回動アーム３４，３４の基端側にジョイント部３５を介して取り付けられている。これに対し、各スプリング３３の下端は、トグルクランプ（第１の締結手段）３６を介して洗浄機本体２側に下端が取り付けられている。なお、左右一対の回動アーム３４，３４は、ドア７の前面に沿って水平に配置されたハンドル８によって連結されている。また、ハンドル８の回動運動に対してドア７を上下運動させる必要があるので、回動アーム３４は、ドア７の側面に対してリンク部３９を介して連結され、リンク部３９は軸ピン３９ａを介してドア７に接続されている。
【００１９】
このようにしてスプリング３３を支柱６内に収容させた結果、スプリングの防水対策を図りつつ外観的に極めてシンプルにすることができ、洗浄水やすすぎ水がスプリングに付着し難いので衛生面の向上にもつながる。しかも、左右の支柱６，６間に架け渡された背面パネル３２を洗浄室３の一部として有効に利用することができるので、スペース効率を向上させ、洗浄室３の拡大化を可能にし、洗浄室３の容積を維持しつつ食器洗浄機１の小型化が可能となる。
【００２０】
ここで、メンテナンス時において、回動アーム３４に対しスプリング３３を適宜着脱させる必要があるので、具体的構成について以下説明する。
【００２１】
図５及び図６に示すように、支柱６の上端には、回動アーム３４の基端側に位置する揺動部４０の一端を挿入させるための矩形の開口部４１が設けられている。この揺動部４０の基端には、ボルト４２ａとナット４２ｂとからなる第２の締結手段４３を介して、ジョイント部３５が回動自在に連結されている。このジョイント部３５は、揺動部４０の動きにスプリング３３を追従させ易くするためのものであり、金属製の板片によって細長く形成されると共に、弾性変形し易い形状を有している。そして、このジョイント部３５の上端には、ボルト挿入用の円筒状軸受部３６が設けられ、ジョイント部３５の下端には、スプリング３３のフック部を引っ掛けるための差込み孔３７が設けられている。なお、揺動部４０の後端は、パイプ状の支柱６の太さに対応させるようにＶ字状に屈曲するが、直状であってもよい。
【００２２】
さらに、支柱６の上端には、矩形の開口部４１を覆うようにしてホルダ４４が装填され、このホルダ４４は、ネジ４５によって支柱６に固定され、このホルダ４４には、開口部４１に連通する連通穴４６が形成されている。この連通穴４６を貫通させる揺動部４０の中央には、回動支軸４７の差込みを可能にした軸孔４８が形成され、この回動支軸４７の両端は、分解・組立作業性を考慮して樹脂製のスペーサ板４９，４９によって保持されている。そして、回動支軸４７を保持した状態のスペーサ板４９は、ホルダ４４の内壁面に形成した嵌合溝５０に対して後方から差し込まれる。その結果として、ホルダ４４内に回動支軸４７を配置させ、ホルダ４４と回動アーム３４における基端側の揺動部４０とを回動自在に連結させる。このようなホルダ４４によって支柱６の近傍に回動アーム３４の支点を作り出している。
【００２３】
なお、回動アーム３４は、組立・分解容易性を考慮して、アーム本体３４ａと揺動部４０とからなり、パイプ状のアーム本体３４ａ内に揺動部４０の先端を差し込むことで一体化を図っている。また、支柱６の上端には、スプリング抜き差し用の開口部５１が形成され、この開口部５１を利用することで、メンテナンス時においてスプリング３３を支柱６の上方から抜き差しすることができ、作業の効率化が図られる。そして、この開口部５１には、支柱６内への水やゴミの侵入を防止するための蓋部５２が着脱自在に装着されている。
【００２４】
ホルダ４４に回動支軸４７を設ける結果として、支点を支柱６の前側に配置させることができるので、スプリング３３に連結される回動アーム３４の後端を力点とし、回動アーム３４の前端を作用点とした場合に、支点と力点との間を比較的長く設定できるので、ドア開閉力の低減が可能となる。さらに、ドア７を上げ下げするタイプの食器洗浄機１では、回動アーム３４の回動範囲を規制するためのストッパ手段は必要不可欠である。
【００２５】
そこで、図６及び図７に示すように、ホルダ４４内において、連通穴４６を形成する壁面には、回動アーム３４の揺動部４０が当接して回動アーム３４の回動範囲を規制するストッパ面５３が設けられている。このストッパ面５３は、ドア７の閉鎖時において回動アーム３４の下限を決定する下限ストッパ面５３ａと、ドア７の開放時において回動アーム３４の上限を決定する上限ストッパ面５３ｂとからなる。下限ストッパ面５３ａは、回動支軸４７の前方下側において斜め下方に向けて延在すると共に、後方上側において斜め上方に向けて延在する。同様に、上限ストッパ面５３ｂは、前方上側において斜め上方に向けて延在すると共に、後方下側において斜め下方に向けて延在する。前述したホルダ４４を利用すると、回動アーム３４の回動の際に衝突負荷の小さな回動支軸４７の近傍にストッパ面５３を作り込むことができるので、ドア開閉構造の一層の簡素化を図ることができる。
【００２６】
さらに、スプリング３３の下端は、洗浄機本体２の下側に設けられた機械室４まで延在すると共に、トグルクランプ（第１の締結手段）３６により支柱６の壁面に固定されている。このような構成は、スプリング３３の交換を容易にするものであり、作業者が機械室４側からアクセスしてスプリング３３の下端を洗浄機本体２から外し易くしている。また、スプリング３３の上端をジョイント部３５から外す場合、先ず、トグルクランプ３６のレバー３６ａを持ち上げるようにして、トグルクランプ３６からスプリング３３の下端を外す。その後、揺動部４０からアーム本体３４ａを外し、開口部５１から揺動部４０の基端部が覗き出るように揺動部４０を押し上げる。そして、ボルト４２ａとナット４２ｂを外し、ジョイント部３５を開口部５１から露出させるように持ち上げることで、スプリング３３を支柱６から抜き出すことができる。なお、支柱６内にスプリング３３を装填する場合は、前述と逆の手順によって行われる。
【００２７】
洗浄機本体の背面側にスプリングが配置された従来型の食器洗浄機では、スプリングの交換に際して、厨房の壁から離すように食器洗浄機を動かす必要があったが、スプリング３３を支柱６内に収容したタイプの食器洗浄機１では、食器洗浄機１を動かす必要がないので作業性が極めて良好である。また、洗浄室の裏側にスプリングが配置された従来型の食器洗浄機では、スプリングの交換に際して、スプリングが濡れてしまう虞があったが、スプリング３３を支柱６内に収容したタイプの食器洗浄機１では、スプリング３３が濡れる虞がないので、作業性が極めて良好である。
【００２８】
さらに、洗浄機本体２に対してドア７をスムーズに昇降させるために、図８〜図１０に示すように、前述した食器洗浄機１には左右一対のガイド手段Ｇが設けられ、各ガイド手段Ｇを介して支柱６とドア７とが間接的に連結されている。このガイド手段Ｇは、支柱６の内方側面において外面に一体的に形成された支柱側ガイドレール面５５と、ドア７の後部コーナにおいて外面に一体的に設けられたドア側ガイドレール面５６と、支柱側ガイドレール面５５の上端側において支柱６に回動自在に取り付けられた支柱側ガイドローラ５７と、ドア側ガイドレール面５６の下端側においてドア７に回動自在に取り付けられたドア側ガイドローラ５８とからなる。また、支柱６とドア７との間で形成されたガイドローラ収容空間部Ｓにおいて、支柱側ガイドレール面５５とドア側ガイドレール面５６は鉛直方向に延在し、支柱側ガイドローラ５７とドア側ガイドローラ５８とは、上下方向で捻れ角度α（例えば１０度）をもって対向するように配置されている。
【００２９】
図１１に示すように、ドア側ガイドレール面５６は、支柱側ガイドローラ５７の回転軸線Ｌに対して平行に延在する第１のガイドレール面５６ａと、この第１のガイドレール面５６ａに対して鈍角な開き角度Ａ（例えば１００度）をもって延在する第２のガイドレール面５６ｂとからなる。第１のガイドレール面５６ａは、支柱側ガイドローラ５７の転動面５７ａに摺接し、第２のガイドレール面５６ｂは、支柱側ガイドローラ５７の円形前面５７ｂに対面する。そして、第１及び第２のガイドレール面５６ａ，５６ｂは、ドア７の背面側コーナ部において、ドアの外面で断面略Ｌ字状に切り欠かれて鉛直方向に延在する。さらに、ドア７の背面側コーナ部には、ドア７の背面に沿って鉛直方向に延在する突片５９が設けられている。この突片５９の表面は、第１のガイドレール面５６ａに平行な第３のガイドレール５６ｃとして形成されている。ドア７の昇降時において、第３のガイドレール面５６ｃに支柱側ガイドローラ５７が突き当たることで、ドア７が前方に倒れるのを適切に防止する。
【００３０】
同様に、図１２に示すように、支柱側ガイドレール面５５は、ドア側ガイドローラ５８の回転軸線Ｌに対して平行に延在する第１のガイドレール面５５ａと、この第１のガイドレール面５５ａに対して鈍角な開き角度Ｂ（例えば１００度）をもって延在する第２のガイドレール面５５ｂとからなる。第１のガイドレール面５５ａは、ドア側ガイドローラ５８の転動面５８ａに摺接し、第２のガイドレール面５５ｂは、ドア側ガイドローラ５８の円形前面５８ｂに対面する。そして、この第１のガイドレール面５５ａは、支柱６の前面を延長させるように突出するガイド片６０に形成され、第２のガイドレール面５５ｂは、支柱６の側面に沿って形成されている。なお、背面パネル３２が支柱６の前面まで延びるように延在するので、支柱６と背面パネル３２との一体化が促進されて、支柱６に対して背面パネル３２がより強固に固定され、外観的にもシンプルになる。
【００３１】
このように、ドア７の外面をガイドレール面５６として活用し、支柱６の外面をもガイドレール面５５として活用する結果、洗浄機本体２側の支柱６とドア７との間でガイドローラ収容空間部Ｓが作り出される。そして、堅強な支柱６にガイド手段Ｇを隣接させることができるので、ドア７内に設けられる洗浄室３の大型化とシンプルで且つ耐久性の高いガイド手段Ｇが実現する。さらに、ガイド手段Ｇの組立作業性やメンテナンス性も格段に向上する。また、ドア７の背面側のコーナ部には、鉛直方向に延在する断面略Ｌ字状の切欠き部６１（図８参照）が設けられ、この切欠き部６１内に支柱６の内側且つ前側のコーナ部が挿入される。その結果として、支柱６に対してドア７のコーナ部を接近させることができ、ドア７と支柱６との間のガイドローラ収容空間部Ｓを必要最小限の大きさに維持しつつ、ドア７内に設けられる洗浄室３の大型化を図ることができる。
【００３２】
このような昇降式のドア７は、洗浄機本体２に対しある程度の余裕をもって組み付けられ、その結果として、ドア７を昇降させる際、ドア７は、洗浄機本体２に対して前後及び左右方向に多少変動する。そして、ドア７の前後方向の変動は、ドア７の昇降時において、支柱側ガイドローラ５７が第１のガイドレール面５６ａに当接し、ドア側ガイドローラ５８が第１のガイドレール面５５ａに当接することで規制される。これに対し、ドア７の左右方向の変動は、ドア７の昇降時において、支柱側ガイドローラ５７が第２のガイドレール面５６ｂに当接し、ドア側ガイドローラ５８が第２のガイドレール面５５ｂに当接することで規制される。
【００３３】
さらに、ガイドローラ５７，５８の円形前面５７ｂ，５８ｂに対して、第２のガイドレール面５５ｂ，５６ｂは、１０度の角度をもって斜めに対面させるように配置されている。そして、ドア７を多少手荒に上下動させる状況下では、ガイドローラ５７，５８の周縁が第２のガイドレール面５５ｂ，５６ｂに当接しながら、ドア７の上げ下ろしが行われる。従って、上下方向の案内として利用されるガイドローラ５７，５８自体をドア７の左右変動規制に利用することで、ガイド手段Ｇの簡素化をもってドア７の変動規制とドア７のスムーズな昇降とを同時に達成することができる。そして、軸ピン３９ａは、ドア７の内側からナット（図示せず）を介して固定されているだけなので、ナットを外すことにより、ドア７を食器洗浄機１から簡単に取り外すことができる。
【００３４】
また、図１３及び図１４に示すように、ドア７の変動規制とドア７のスムーズな昇降とを同時に達成するために、樹脂製のガイドローラ５７，５８には、円形前面５７ｂ，５８ｂの周縁に沿って環状な突起部５７ｃ，５８ｃが形成されている。このような突起部５７ｃ，５８ｃの採用により、ドア７の昇降に際して、ガイドローラ５７，５８の突起部５７ｃ，５８ｃが第２のガイドレール面５５ｂ，５６ｂに当接するので、接触面積の最小化を図ることができる。
【００３５】
図１５及び図１６に示すように、ドア７の組み付け、点検及び交換をスピーディに行うために、ドア７は洗浄機本体２に対して抜き差しできる必要がある。そこで、ドア７の下端には、ガイドローラ５８を露出させる切欠き部６３が設けられて、同様に、支柱６の上端にも、ガイドローラ５７を露出させる切欠き部６４が設けられている。また、ドア７の組み付け、点検及び交換をスピーディに行うための更なる方策として、ドア７と回動アーム３４とは軸ピン３９ａ(図３参照)のみを介して直接的に連結されている。従って、軸ピン３９ａを外した後、切欠き部６４からガイドローラ５８を通過させるようにドア７を持ち上げることで、洗浄機本体２からドア７を簡単に離脱させることができる。
【図面の簡単な説明】
【００３６】
【図１】本発明に係る食器洗浄機の一実施形態を示す斜視図である。
【図２】図１に示した食器洗浄機の縦断面図である。
【図３】食器洗浄機の要部を切り欠いた斜視図である。
【図４】食器洗浄機の要部を切欠いた側面図である。
【図５】食器洗浄機の要部を示す分解斜視図である。
【図６】図５に示した部品の組立後の状態を示す斜視図である。
【図７】支柱及びホルダを示す断面図である。
【図８】食器洗浄機のコーナ部分を示す斜視図である。
【図９】食器洗浄機のコーナ部分を示す平面図である。
【図１０】本発明に係る食器洗浄機に適用するガイド手段を示す斜視図である。
【図１１】支柱側ガイドローラとドア側ガイドレール面との関係を示す断面図である。
【図１２】ドア側ガイドローラと支柱側ガイドレール面との関係を示す断面図である。
【図１３】ガイドローラを示す斜視図である。
【図１４】ガイドローラを示す断面図である。
【図１５】ドアの取り外し方を示す斜視図である。
【図１６】ドアの組み付け方を示す斜視図である。
【符号の説明】
【００３７】
１…食器洗浄機、２…洗浄機本体、３…洗浄室、６…支柱、７…ドア、５５…支柱側ガイドレール面、５５ａ…第１のガイドレール面、５５ｂ…第２のガイドレール面、５６…ドア側ガイドレール面、５６ａ…第１のガイドレール面、５６ｂ…第２のガイドレール面、５６ｃ…第３のガイドレール面、５７…支柱側ガイドローラ、５７ａ…ガイドローラの転動面、５７ｂ…ガイドローラの円形前面、５７ｃ…突起部、５８…ドア側ガイドローラ、５８ａ…ガイドローラの転動面、５８ｂ…ガイドローラの円形前面、５８ｃ…突起部、６１…切欠き部、Ｓ…ガイドローラ収容空間部、Ｇ…ガイド手段。
【図１】
2005034449.tif 000003
【図２】
2005034449.tif 000004
【図３】
2005034449.tif 000005
【図４】
2005034449.tif 000006
【図５】
2005034449.tif 000007
【図６】
2005034449.tif 000008
【図７】
2005034449.tif 000009
【図８】
2005034449.tif 000010
【図９】
2005034449.tif 000011
【図１０】
2005034449.tif 000012
【図１１】
2005034449.tif 000013
【図１２】
2005034449.tif 000014
【図１３】
2005034449.tif 000015
【図１４】
2005034449.tif 000016
【図１５】
2005034449.tif 000017
【図１６】
2005034449.tif 000018